(57)【要約】【解決手段】底部フレーム１の各コーナー部に断面略Ｌ字形状の補強支柱２を立設する。補強支柱２の内側に重ねて支持されると共に、吊フック４を固定した吊上用支柱３を設ける。対向する一対の側部フレームを該吊上用支柱３に連結して底部フレーム１上に折り重ね自在な一対の強化フレーム５を形成する。残る一対の側部フレームを吊上用支柱３に着脱自在に連結して底部フレーム１上に折り重ね自在な折畳みフレーム６を形成する。【効果】ワイヤーロープで容易に吊り上げることができる。側板や側板コーナー部分の変形を防止する。【選択図】        図１
2004182250.tif 000002
【特許請求の範囲】
【請求項１】
矩形状の底部フレーム上に側部フレームが折り重ね自在に設けられた吊用パレットにおいて、底部フレームの各コーナー部に断面略Ｌ字形状の補強支柱を立設し、該補強支柱の内側に重ねて支持されると共に、吊フックを固定した吊上用支柱を設け、対向する一対の側部フレームを該吊上用支柱に連結して底部フレーム上に折り重ね自在な一対の強化フレームを形成し、残る一対の側部フレームを吊上用支柱に着脱自在に連結して底部フレーム上に折り重ね自在な折畳みフレームを形成したことを特徴とする吊用パレット。
【請求項２】
前記強化フレームは、前記補強支柱を貫通する固定金具で補強支柱に着脱自在に連結され、該強化フレームを前記底部フレーム上に折り重ねる際に、補強支柱に形成されたスライド溝に、吊上用支柱の側面に突設された抜止めボルトをスライド自在に係止した請求項１記載の吊用パレット。
【請求項３】
前記折畳みフレームは、前記底部フレーム上に設けたヒンジ部で揺動自在に設けられると共に、高さ方向を略二分する位置で折畳み自在に形成された請求項１記載の吊用パレット。
【発明の詳細な説明】
【０００１】
【発明の属する技術分野】
本発明は、ワイヤメッシュを使用した折りたたみ自在な吊用パレットに係り、特に、コンテナパレットをワイヤーロープで吊り上げるのに好適な吊用パレットに関する。
【０００２】
【従来の技術】
従来、折りたたみ自在なパレットとして、特許文献１に記載された折畳み金網パレットが提案されている。このパレットは、組立て、折畳み状態での段積みが安定して成され、操作を簡便にするように提案されたものである。
【０００３】
一方、この種のパレットをフォークリフトで移送容易にするために、パレットの床板にフォーク案内用脚体を設けた組立てパレットが特許文献２に記載されている。このパレットでは、フォーク案内用脚体にフォークリフトのフォークを刺し込んで固定し、パレットを運搬できるようにしている。
【０００４】
【特許文献１】
実開平６−７１４２５号公報
【特許文献２】
登録実用新案第３０６０６７１号公報
【０００５】
【発明が解決しようとする課題】
特許文献１に記載されている金網を用いたコンテナパレットを建設工事現場で使用する場合、例えば、仮設足場に使用されるクランプ金具や壁つなぎ金具などを収納、運搬する際に用いられている。この場合、ワイヤーロープでコンテナパレットごと吊り上げるには、一般に、吊下げ用のワイヤーロープをコンテナパレット底板のコーナー部分に掛けて吊り上げるようにしているが、このワイヤーロープが外れる危険があった。
【０００６】
そこで、安全な作業をする為に、特許文献１の底板に設けた脚体の内側にワイヤーロープを係止する場合もあるが、この場合、脚体の内側にワイヤーロープを通す作業が必要になるので、ワイヤーロープの取り付け作業に多くの手間を要する不都合が生じている。
【０００７】
また、金網製の側板を折りたたみ自在に形成したパレットでは、側板のコーナー部分における連結強度が低くならざるを得ない。その為、パレットを吊り上げるワイヤーロープが、側板や側板のコーナー部分に変形を生じさせないようにするため、ワイヤーロープが接触する側板等に補強材を装着する必要もある。
【０００８】
一方、特許文献２に記載されているパレットは、フォーク案内用脚体でパレットの床板の強度を高めているが、このパレットをワイヤーロープにて吊り上げる場合には、側板や側板のコーナー部分の強度が持ちこたえられないことに変わりはない。
【０００９】
そこで、本発明は、上述の課題を解消すべく創出されたもので、ワイヤーロープでコンテナパレットを容易に吊り上げることが可能で、側板や側板のコーナー部分の変形を防止することができる吊用パレットの提供を目的とする。
【００１０】
【課題を解決するための手段】
上述の目的を達成すべく本発明の第１の手段は、矩形状の底部フレーム１上に側部フレームが折り重ね自在に設けられた吊用パレットにおいて、底部フレーム１の各コーナー部に断面略Ｌ字形状の補強支柱２を立設し、該補強支柱２の内側に重ねて支持されると共に、吊フック４を固定した吊上用支柱３を設け、対向する一対の側部フレームを該吊上用支柱３に連結して底部フレーム１上に折り重ね自在な一対の強化フレーム５を形成し、残る一対の側部フレームを吊上用支柱３に着脱自在に連結して底部フレーム１上に折り重ね自在な折畳みフレーム６を形成したことにある。
【００１１】
第２の手段における強化フレーム５は、前記補強支柱２を貫通する固定金具７で補強支柱２に着脱自在に連結され、該強化フレーム５を前記底部フレーム１上に折り重ねる際に、補強支柱２に形成されたスライド溝２Ａに、吊上用支柱３の側面に突設された抜止めボルト３Ａをスライド自在に係止する。
【００１２】
第３の手段の折畳みフレーム６は、前記底部フレーム１上に設けたヒンジ部１Ａで揺動自在に設けられると共に、高さ方向を略二分する位置で折畳み自在に形成したことを課題解消のための手段とする。
【００１３】
【発明の実施の形態】
以下、図面を参照して、本発明の実施例を詳細に説明する。本発明は、底部フレーム１上に側部フレームが折り重ね自在に設けられた吊用パレットに関するものである（図１参照）。図示の底部フレーム１は、側部フレームと共にワイヤメッシュで形成されている（図２、３参照）。そして、底部フレーム１の下面に井桁状に設けた略帯板形状の補強帯８を複数本使用することで底部フレーム１の強度を高めている。尚、図示の底部フレーム１は、キャスター９を装着しているが、このキャスター９の選択は自由である。また、キャスター９を使用する場合は、いずれかのキャスター９において、キャスター９の両側面に一対のロックレバー９Ａを設けたキャスター９を使用することで、キャスター９の向きがどの位置にあってもロックレバー９Ａの操作が可能になる（図２参照）。この結果、キャスター９をロックするために、ロックレバー９Ａを操作できる位置にキャスター９の向きを変更する操作が不要になり、重量物を積載した後でも、キャスター９を確実にロックすることができる。
【００１４】
底部フレーム１の各コーナー部に断面略Ｌ字形状の補強支柱２を立設する。該補強支柱２は、底部フレーム１上に折り重ねた各部の側部フレームよりも上方に突出するもので、他の吊用パレットを積載できるようにしている（図４参照）。この補強支柱２の内側に吊上用支柱３を重ねて揺動自在に立設する。
【００１５】
吊上用支柱３は、補強支柱２の内側に重ねて支持されると共に、吊フック４を固定した吊上用支柱３を設けている（図７参照）。図示の吊フック４は、吊上用支柱３の頂部に設けているが、この吊フック４の位置は任意に変更することができる。そして、側部フレームのうち対向する一対の側部フレームを該吊上用支柱３に連結して底部フレーム１上に折り重ね自在な一対の強化フレーム５を形成する（図２参照）。図示例の強化フレーム５は、側部フレームの上端部と吊上用支柱３の上端部とを、断面Ｌ字形状を成した補強アングル５Ａにて強固に連結している（図７参照）。
【００１６】
強化フレーム５は、吊上用支柱３と共に、底部フレーム１上部に折り重ね自在に設けられている。また、この吊上用支柱３と補強支柱２とは、固定金具７と抜止めボルト３Ａとで連結されている（図５、図６参照）。
【００１７】
固定金具７は、補強支柱２を貫通する金具で、吊上用支柱３に回転自在に立設されている（図６参照）。そして、この固定金具７を補強支柱２に開穿した係止孔２Ｂに挿通した後に、固定金具７を回転させることで、補強支柱２と吊上用支柱３とが強固に固定されるものである。図示の固定金具７は、係止孔２Ｂ挿入部分を扁平に形成してあり、係止孔２Ｂに挿入した後に扁平な挿入部分を回転し、係止孔２Ｂに係止している。このとき、係止孔２Ｂの周囲に補強金具２Ｃを接合しておくことで、補強支柱２と吊上用支柱３との連結強度を高めることができる。また、この補強金具２Ｃの表面に、固定金具７の回転を一方向に規制するストッパー２Ｄを設けることで、使用時の安全性も高めている（図６参照）。強化フレーム５を底部フレーム１上に折り重ねる際は、この固定金具７を解除して行う。
【００１８】
抜止めボルト３Ａは、吊上用支柱３の側面に突設されており、補強支柱２に形成されたスライド溝２Ａに沿ってスライド自在に係止する（図５参照）。図示の抜止めボルト３Ａは、吊上用支柱３の側面にねじ止めしたボルトをスライド溝２Ａに挿通し、このボルト頭部をスライド溝２Ａに係止させている。また、スライド溝２Ａは略Ｌ字形状を成している。すなわち、このスライド溝２Ａは、補強支柱２と吊上用支柱３とを前記固定金具７で連結する際に抜止めボルト３Ａがスライドする水平部分２Ａａと、固定金具７を解除してから、吊上用支柱３が揺動する際に、抜止めボルト３Ａがスライドする垂直部分２Ａｂとから構成されている。そして、強化フレーム５を前記底部フレーム１上に折り重ねる際に、抜止めボルト３Ａをスライド溝２Ａにスライド係止するものである。
【００１９】
折畳みフレーム６は、吊上用支柱３に固定していない残る一対の側部フレームを、この吊上用支柱３に着脱自在に連結したものである（図７参照）。この折畳みフレーム６を底部フレーム１に重ねる際は吊上用支柱３から分離し、使用時において吊上用支柱３に固定する。図示の連結手段は、折畳みフレーム６の上部にスライド自在に設けたロック金具６Ａと、該ロック金具６Ａのスライド移動によって連結され、又は解除される固定板３Ｂを吊上用支柱３の上部に固定している（図８参照）。図示例では、ロック金具６Ａを吊上用支柱３の側面にまで貫通させている。そして折畳みフレーム６を底部フレーム１上に折り重ねる際は、このロック金具６Ａを解除して行うものである。
【００２０】
また、折畳みフレーム６は、底部フレーム１上に設けたヒンジ部１Ａで揺動自在に設けられている（図７参照）。さらに、折畳みフレーム６の高さ方向を略二分する位置で折畳み自在に形成している。
図示の折畳みフレーム６は、上部のフレームと下部のフレームとを連結管６Ｂで接続すると共に、該接続部にスパイラルコイル６Ｃを巻き付けて連結強度を高めている。また、下部のフレームに当接する戸当３Ｃを吊上用支柱３に設けて下部のフレームを補強している（図９参照）。
【００２１】
【発明の効果】
本発明は、上述の如く構成したことにより、当初の目的を達成する。
【００２２】
すなわち、底部フレーム１の各コーナー部に断面略Ｌ字形状の補強支柱２を立設し、該補強支柱２の内側に重ねて支持されると共に、吊フック４を固定した吊上用支柱３を設け、対向する一対の側部フレームを該吊上用支柱３に連結して底部フレーム１上に折り重ね自在な一対の強化フレーム５を形成し、残る一対の側部フレームを吊上用支柱３に着脱自在に連結して底部フレーム１上に折り重ね自在な折畳みフレーム６を形成したことにより、ワイヤーロープでコンテナパレットを容易に吊り上げることが可能になった。しかも、側板や側板のコーナー部分の変形を防止することができる
【００２３】
また、強化フレーム５を前記底部フレーム１上に折り重ねる際に、補強支柱２に形成されたスライド溝２Ａに、吊上用支柱３の側面に突設された抜止めボルト３Ａをスライド自在に係止するので、強化フレーム５を折り重ねる際に、補強支柱２に強化フレーム５を支えた状態で折り重ねることができる。この結果、本発明の折り重ね作業や組立て作業を安全に行うことができる。
【００２４】
更に、折畳みフレーム６は、前記底部フレーム１上に設けたヒンジ部１Ａで揺動自在に設けられると共に、高さ方向を略二分する位置で折畳み自在に形成しているので、折畳みフレーム６のサイズにかかわらずに、コンパクトに折り畳むことができる。したがって、本発明の使用態様を、サイズに応じて自由に設定することが可能である。
【００２５】
このように本発明によると、コンテナパレットにワイヤーロープを容易に取りつけることができ、コンテナパレットを安全に吊り上げることが可能になるなどといった有益な種々の効果を奏するものである。
【図面の簡単な説明】
【図１】本発明の一実施例を示す正面図。
【図２】本発明の一実施例を示す側面図。
【図３】本発明の一実施例を示す底面図。
【図４】本発明の強化フレームを折り重ねる状態を示す正面図。
【図５】本発明の固定金具と抜止めボルトを示す要部正面図。
【図６】本発明の固定金具と抜止めボルトを示す要部側面図。
【図７】本発明の強化フレームと折畳みフレームとを示す要部断面図。
【図８】本発明のロック金具を示す要部平面図。
【図９】本発明の戸当を示す要部平面図。
【符号の説明】
１  底部フレーム    １Ａ  ヒンジ部
２  補強支柱        ２Ａ  スライド溝
２Ａａ  水平部分
２Ａｂ  垂直部分
２Ｂ  係止孔
２Ｃ  補強金具
２Ｄ  ストッパー
３  吊上用支柱      ３Ａ  抜止めボルト
３Ｂ  固定板
３Ｃ  戸当
４  吊フック
５  強化フレーム
６  折畳みフレーム  ６Ａ  ロック金具
６Ｂ  連結管
６Ｃ  スパイラルコイル
７  固定金具
８  補強帯
９  キャスター      ９Ａ  ロックレバー
【図１】
2004182250.tif 000003
【図２】
2004182250.tif 000004
【図３】
2004182250.tif 000005
【図４】
2004182250.tif 000006
【図５】
2004182250.tif 000007
【図６】
2004182250.tif 000008
【図７】
2004182250.tif 000009
【図８】
2004182250.tif 000010
【図９】
2004182250.tif 000011